(57)【特許請求の範囲】
【請求項１】
方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリを配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成したことを特徴とするブラインド内蔵複層ガラス。
【請求項２】
方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するためのプーリを配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成し、プーリには両端に上記吊り紐を連結したクラッチバネを巻き付けて設け、このクラッチバネは一定範囲以上回動しないようにその両端の一方がストッパーに当接するとプーリ上の拘束が解除されるように構成されていることを特徴とするブラインド内蔵複層ガラス。
【請求項３】
方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリをガラス面と平行に配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材の先端部には上部のスペーサに沿って直線移動可能にラックを有する駆動部材が設けられ、上記プーリに上記ラックと噛合するピニオンを設けてプーリを回動操作するように構成したことを特徴とするブラインド内蔵複層ガラス。
【請求項４】
方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリを回動可能に配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成したブラインド内蔵複層ガラスが装着されていることを特徴とする窓サッシ。
【請求項５】
方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するためのプーリを配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成し、プーリには両端に上記吊り紐を連結したクラッチバネを巻き付けて設け、このクラッチバネは一定範囲以上回動しないようにその両端の一方がストッパーに当接するとプーリ上の拘束が解除されるように構成されたブラインド内蔵複層ガラスが装着されていることを特徴とする窓サッシ。
【請求項６】
方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリをガラス面と平行に配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材の先端部には上部のスペーサに沿って直線移動可能にラックを有する駆動部材が設けられ、上記プーリに上記ラックと噛合するピニオンを設けてプーリを回動操作するように構成したブラインド内蔵複層ガラスが装着されていることを特徴とする窓サッシ。
【発明の詳細な説明】
【０００１】
【発明の属する技術分野】
本発明は、内部が密封される複層ガラス内に角度調節可能なブラインドを組込んだブラインド内蔵複層ガラスおよびこのブラインド内蔵複層ガラスが装着された窓サッシに関する。
【０００２】
【従来の技術】
方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設してなるブラインド内蔵複層ガラスは、例えば特公平４−２６０３４号公報、特公平５−１０４７６号公報等により既に知られている。このブラインド内蔵複層ガラスは、断熱性および遮蔽性を有するだけでなく、密封される複層ガラス内にブラインドが内蔵されていることから、ブラインドが汚れにくく、例えば浴室等の窓ガラスとして有効である。
【０００３】
【発明が解決しようとする課題】
しかしながら、上記ブラインド内蔵複層ガラスにおいては、密封される複層ガラス内のブラインドを外部から操作しなければならないことから、ブラインドを角度調節するための構造ないし機構が複雑になる傾向がある。このため、製造時の組立性が悪く、また、複層ガラス自体の厚さも厚くなる傾向があった。また、ブラインド内蔵複層ガラスは、通常の複層ガラスよりも厚さが厚くなることから、既存の複層ガラス用の窓サッシに使用することが困難であった。このため、ブラインド内蔵複層ガラス専用の窓サッシを作製する必要があり、この種窓サッシのコストの増大を招いていた。
【０００４】
そこで、本発明の目的は、組立性の向上および複層ガラス自体の厚さの減少が図れるブラインド内蔵複層ガラスおよび窓サッシを提供することにある。
【０００５】
【課題を解決するための手段】
上記目的を達成するために本発明のうち請求項１記載のブラインド内蔵複層ガラスは、方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリを配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成したことを特徴とする。
【０００６】
請求項２記載のブラインド内蔵複層ガラスは、方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するためのプーリを配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成し、プーリには両端に上記吊り紐を連結したクラッチバネを巻き付けて設け、このクラッチバネは一定範囲以上回動しないようにその両端の一方がストッパーに当接するとプーリ上の拘束が解除されるように構成されていることを特徴とする。
【０００７】
請求項３記載のブラインド内蔵複層ガラスは、方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリをガラス面と平行に配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材の先端部には上部のスペーサに沿って直線移動可能にラックを有する駆動部材が設けられ、上記プーリに上記ラックと噛合するピニオンを設けてプーリを回動操作するように構成したことを特徴とする。
【０００８】
請求項４記載の窓サッシは、方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリを回動可能に配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成したブラインド内蔵複層ガラスが装着されていることを特徴とする。
【０００９】
請求項５記載の窓サッシは、方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するためのプーリを配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成し、プーリには両端に上記吊り紐を連結したクラッチバネを巻き付けて設け、このクラッチバネは一定範囲以上回動しないようにその両端の一方がストッパーに当接するとプーリ上の拘束が解除されるように構成されたブラインド内蔵複層ガラスが装着されていることを特徴とする。
【００１０】
請求項６記載の窓サッシは、方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリをガラス面と平行に配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材の先端部には上部のスペーサに沿って直線移動可能にラックを有する駆動部材が設けられ、上記プーリに上記ラックと噛合するピニオンを設けてプーリを回動操作するように構成したブラインド内蔵複層ガラスが装着されていることを特徴とする。
【００１１】
【実施の形態】
以下に、本発明の実施の形態を添付図面に基づいて詳述する。
【００１２】
ブラインド内蔵複層ガラスの屋内側正面を示す図１において、１はブラインド内蔵複層ガラスで、基本的には、内部が密封される複層ガラス２内に梯状の吊り紐３を介して角度調節可能なブラインド４を吊設して構成されている。複層ガラス２は、方形枠状に上下左右のスペーサ５ａ，５ｂ，５ｃ，５ｄを連結し、このスペーサ５ａ〜５ｄの両面を図３に示すように２枚のガラス板６，６で挟み、スペーサ５ａ〜５ｄとガラス板６の間を図示しない１次シール材でシールすると共に、両ガラス板６，６の対向周縁部間を２次シール材７でシールすることにより内部を密封した状態に形成される。
【００１３】
上記スペーサ５ａ〜５ｄは、好ましくは金属製例えばアルミ押出形材からなっているが、合成樹脂製であっても良い。上記スペーサ５ａ〜５ｄのうち、少なくとも１つのスペーサ例えば下部のスペーサ５ｂには、複層ガラス２内における結露を防止するために乾燥剤が充填されていることが好ましい。上下左右のスペーサ５ａ〜５ｄは、四隅に配置されるコーナーピース８ａ，８ｂ，８ｃ，８ｄを介して方形枠状に連結される。コーナーピース８ａ〜８ｄは、好ましくは合成樹脂からなっているが、金属製であっても良い。
【００１４】
上記ブラインド４は、図８の（ａ）に示すように、両側の縦紐部３ａ，３ｂ間に横紐部３ｃを所定の間隔で設けてなる梯状の吊り紐３と、ブラインド幅に応じて適宜間隔で少なくとも２本以上配置される上記吊り紐３の各段の横紐部３ｃ相互間に掛け渡されて略水平に支持されるスラット９とを備えており、吊り紐３の両側の縦紐部３ａ，３ｂの一方を上方へ他方を下方へ移動させることにより、スラット９の角度を一斉に可変調節できるように構成されている。スラット９は、合成樹脂製もしくは金属製の帯状の薄板からなり、撓みを防止するために断面が曲面状に形成されている。
【００１５】
組立性の向上を図るため、スラット９を吊り紐３の横紐部３ｃに単に載置する構成が採用されるが、この場合、振動や衝撃等でスラット９が反転（裏返し）することがある。そこで、本実施の形態では、スラット９が反転したとしても支障のないように、スラット９が点対称の断面形状、すなわち断面略Ｓ字状に形成されている。また、スラット９が反転したことが識別できないように、スラット９の表裏面は同色とされていることが好ましい。
【００１６】
ブラインド４を駆動操作するために、複層ガラス２内の上方、すなわち上部スペーサ５ａには、各吊り紐３を駆動するプーリ１０がガラス面と平行にそれぞれ回動可能に配設されている。組立性の向上を図るために、上記プーリ１０は、上部のスペーサ５ａに対して着脱可能に構成されたプーリケース１１内に軸１２を介して回転可能に取付けられている。上部のスペーサ５ａは、図８の（ｂ）に示すように、下部が開放された断面逆Ｕ字状に形成されており、その両側下部には内向きのフランジ部１３が対向して形成されている。
【００１７】
上記プーリケース１１は、図７にも示すように、上部が開放され、底部に開口部１１ａを有し、上部のスペーサ２ａ内に収まる大きさの箱状に例えば合成樹脂により形成されている。このプーリケースの両側下部には、上記フランジ部１３に係止される弾発性を有する係止脚部１４が形成されており、上部のスペーサ２ａ内に着脱可能に取付けられるようになっている。また、上記プーリ１０を回動操作するために、上部のスペーサ２ａ内の上方には、その長手方向に沿って直線移動可能にラック１５を有する駆動部材１６が設けられると共に、上記プーリ１０には上記ラック１５と噛合するピニオン１７が設けられている。
【００１８】
上記プーリ１０は、好ましくは合成樹脂によりドラム状に形成されており、その両側部にピニオン１７が形成されている。上記駆動部材１６は、図６に示すように、上部のスペーサ２ａ内上方をその長手方向にって移動可能に形成された金属製、例えばアルミ押出形材からなる長尺のバー材（ピッチバーともいう）からなっている。この駆動部材１６には、各プーリ１０と対応する位置に切欠部１８が設けられ、各切欠部１８に位置させてラック１５が取付けられている。
【００１９】
ラック１５の背面部には、上記駆動部材１６の両側部を把持するように係合する係合部１９が形成されている。ラック１５の歯部は、上記プーリ１０の両側部に形成された一対のピニオン１７と対応させて２条に形成されていることが好ましい。また、ラック１５は、合成樹脂製であることが好ましい。
【００２０】
各プーリ１０には、両端に上記吊り紐３を連結したクラッチバネ２０が巻き付けて設けられ、このクラッチバネ２０は一定範囲以上回動しないように両端の一方がストッパーであるピン２１に当接するとプーリ上１０の拘束が解除されるように構成されている。これにより、組立時に各吊り紐３の角度がずれていたとしても、これらを簡単に整列させることができ、組立誤差を吸収できるようになっている。
【００２１】
上記クラッチバネ２０は、図７ないし図８に示すように、線状バネ材をプーリ１０とほぼ同じ径で巻回したコイルバネからなり、その両端が径方向外方にハの字状に突出させて規制腕部２０ａ、２０ｂとして形成されている。両規制腕部２０ａ，２０ｂの開き角度がクラッチバネ２０の回動範囲を規制している。また、両規制腕部２０ａ，２０ｂの基部には、吊り紐３の縦紐部３ａ，３ｂ上端を止着するための止着部２２ａ，２２ｂがリング状に形成されている。上記ストッパーとしてのピン２１は、プーリ１０の下方にその軸１２と平行に設けられており、特に両規制腕部２０ａ，２０ｂ間で且つこれらの回動軌跡上に設けられている。上記クラッチバネ２０の両止着部２２ａ，２２ｂに吊り紐３の両側縦紐部３ａ，３ｂ上端がそれぞれ止着され、両縦紐部３ａ，３ｂは上記ピン２１に交差するように巻き掛けられて下方へ垂下されている。
【００２２】
上記クラッチバネ２０は、両端が吊り紐を介してブラインド４の重さで下方へ引っ張られていることにより、プーリ１０を締め付ける方向に付勢されている。そして、プーリ１０を何れか一方向に回動させると、クラッチバネ２０がプーリ１０と一体で回動し、一方の規制腕部２０ａまたは２０ｂがピン２１に当接すると、その規制腕部２０ａまたは２０ｂにクラッチバネ２０を緩める方向の力が作用するため、クラッチバネ２０の拘束が解除されてプーリ１０のみが空転し、クラッチバネ２０が所定の角度で停止され、吊り紐３を所定の角度に揃えることができるようになっている。
【００２３】
上記複層ガラス２の外面には、図１、図３もしくは図４に示すよう、上下移動可能に操作部２３が設けられると共に、この操作部２３に磁力で吸着されて操作される被操作部２４が複層ガラス２内の側部のスペーサ５ｃに沿って上下移動可能に設けられている。そして、側部および上部のスペーサ２ｄ，２ａに沿って直線運動を伝達する可撓性を有する伝達部材２５が上記被操作部２４から上隅部の曲線状ガイド部２６を介して（通って）上記プーリ１０に掛け渡され、プーリ１０を回動操作するように構成されている。
【００２４】
上記被操作部２４は、磁石２７を収容した箱状の内カバー２８と、この内カバー２８を複層ガラス２の厚さ方向に移動可能に収容した箱状の外カバー２９とを備えている。内カバー２８は、磁石２７を収容するために一側に開放部２８ａを有しているが、この開放部２８ａは閉塞されていても良い。また、内カバー２８は、一方のガラス板６の内面に摺動可能に接しているため、摩擦抵抗の少ない滑りやすい材質例えばポリアセタール樹脂からなっていることが好ましい。
【００２５】
上記外カバー２９は、内カバー２８を一方のガラス板６の内面に接触させるために一側が開放されている。外カバー２９の内側上下面には、突起部３０が形成され、内カバー２８の上下面の上記突起部３０と対応する位置には、内カバー２８の複層ガラス厚さ方向への移動を許容するための長穴３１が形成されている。このように内カバー２８と外カバー２９を採用することにより、内カバー２８が常にガラス板６の内面に接触する状態が維持されている。
【００２６】
上記側部のスペーサ５ｃは、内側に上記被操作部２４を上下移動可能に収容するために、断面略Ｕ字状に形成されており、その一方のガラス板６側には内カバー２８をそのガラス板６の内面に接触させて上下方向に移動可能とするための窓（開口部）３２が形成されている。また、この側部のスペーサ５ｃの開放部には、カバー３３が取付けられる。また、上部のスペーサ５ａのプーリケース１１部分を除く開放部にもカバーが取付けられる（図示省略）。
【００２７】
上記操作部２３には、上記被操作部２４の内カバー２８と対応するように磁石収容部３４が外側に形成さており、この磁石収容部３４には上記ガラス板６を挟んで上記被操作部２４の磁石２７と互に吸着する磁石３５が収容されている。上記磁石収容部３４には、磁力を高めるために磁性板（例えば鉄板）３６が設けられていることが好ましい。なお、操作部２３と被操作部２４は、必ずしも両方とも磁石である必要はなく、一方が磁石で、他方が磁性体例えば鉄であっても良い。操作部２３は、上下にガイド片部２３ａ，２３ｂを一体的に有しており、これらガイド片部２３ａ，２３ｂを含む操作部２３がガラス板６の外面に取付けフレーム３７を介して上下方向に移動可能に取付けられている。取付けフレーム３７は、ガラス板６の外面に両面粘着テープ、接着剤等で固定される。
【００２８】
上記伝達部材２５は、可撓性を有する長尺板状（帯状）のバー材からなっている。この伝達部材２５は、その一端部に形成された係合穴３８に、上記外カバー２９の外面に突設された突部３９を係合させることにより、被操作部２４と連結されている。操作側の側部のスペーサ５ｃには、その長手方向に沿って上下方向に上記伝達部材２５を移動可能に支持するガイド溝４０が形成されている。このガイド溝４０は、側部のスペーサ５ｃに直接形成されているが、側部のスペーサ５ｃに別部材を介して間接的に形成されていても良い。なお、上記伝達部材２５は、曲線ガイド部２６を通る部分のみが可撓性を有するように構成されていても良い。
【００２９】
また、操作側の側部のスペーサ５ｃと上部のスペーサ５ａを連結する上隅部のコーナーピース（操作側の上部コーナーピースともいう）８ａには、上記伝達部材２５の先端側を上部のスペーサ５ａの長手方向に臨ませるべく湾曲させて案内するための上記曲線状ガイド部２６が形成されている。この操作側の上部コーナーピース８ａは、上記曲線状ガイド部２６を形成するために、内外に２つに分割された内側ピース４１と外側ピース４２とから構成されている。内側ピース４１および外側ピース４２には、上記曲線状ガイド部２６を構成すべく伝達部材２５の表裏面を曲面状に規制して案内するガイド片４１ａ，４２ａが２条ずつ形成されている。
【００３０】
そして、上記伝達部材２５の先端部には、この先端部に形成された係合穴４３に上記駆動部材１６の一端に突設された突部４４を係合させることにより、駆動部材１６が連結されている。上記操作部２３、伝達部材２５、コーナーピース８ａ〜８ｄ等は、被操作部２４の内カバー２８と同様、滑りやすい材質例えばポリアセタール樹脂からなっていることが好ましい。
【００３１】
ブラインド遮蔽時の下方のスラット９の遮蔽角度が甘くなるのを防止して遮蔽性（遮視性）の向上を図るために、上記吊り紐３の両側縦紐部３ａ，３ｂの下端は、図９ないし図１０に示すように、Ｕ字状につながっており、上記ブラインドの最下端の重りとなるバー部材（ボトムバーともいう）４５には、上記吊り紐３のＵ字状の下端をＵターン移動可能に係止する幅の狭い吊り紐係止部４６が設けられている。この場合、上記バー部材４５は、例えば中空のアルミ押出形材からなり、その上面部には長手方向に沿ってフィン部４７が突設されている。
【００３２】
このフィン部４７には、吊り紐３と対応する位置に略Ｌ字状の切欠部４８が設けられ、この切欠部４８には、上記吊り紐係止部４６としての合成樹脂製の吊り紐係止ピース４９が係合されている。この吊り紐係止ピース４９は、上記切欠部４８に係合される厚さの薄いドラム状に形成されており、その中心部に穿設された孔部５０に上記吊り紐３のＵ字状の下端が摺動可能に挿通されて巻き掛けられた状態にある。
【００３３】
吊り紐３により下部のスペーサ５ｂより上方へ浮いた状態に吊り下げられた上記バー部材４５を吊り紐３の伸びに対応して一定の範囲で上下移動可能に規制するために、図１または図１１に示すように、左右両側のスペーサ５ｃ，５ｄの下端側、好ましくは下隅部に配置される下部コーナーピース８ｃ，８ｄには、上記バー部材４５の両端部を上下移動可能に規制する規制部としての長穴５１が設けられている。この場合、上記バー部材４５の両端部には、上記下部コーナーピース８ｃ，８ｄの長穴に上下移動可能に係合する突起部５２ａを有する合成樹脂製のキャップ５２が装着されていることが好ましい。これにより、吊り紐３の伸びに対応してバー部材４５を上下移動可能に規制ないし支持することができ、また、運搬等でブラインド内蔵複層ガラス１を上下逆にした場合にも、バー部材４５がプーリ１０側に落下することを防止することができる。
【００３４】
以上のように構成されたブラインド内蔵複層ガラス１は、窓サッシ５３に装着されて使用される。図２は、ブラインド内蔵複層ガラス１を引き違い式の窓サッシ５３に装着した一例を示している。この窓サッシ５３は、好ましくは断熱構造のサッシ枠５４と、このサッシ枠５４内に開閉可能に取付けられた引き違い式の障子５５とから主に構成されている。障子５５は、方形に框組みされる、好ましくは断熱構造の框５６を有し、この框５６内にパッキンであるグレーチングチャンネル（ビードともいう）５７を介して上述したブラインド内蔵複層ガラス１が装着されている。なお、窓サッシとしては、引き違い式以外に、例えば縦すべり式、フィックス式等であっても良い。
【００３５】
次に、以上の構成からなるブラインド内蔵複層ガラス１およびこれを備えた窓サッシ５３の作用を述べる。ブラインド内蔵複層ガラス１を組立てる場合には、先ず操作部２３、伝達部材２５、ラック１５を有する駆動部材１６を組込んだスペーサ５ａ〜５ｄを方形枠状に組立て、このスペーサ５ａ〜５ｄの一方の面にガラス板６を一次シール材を介して張り付ける。
【００３６】
次に、吊り紐３を介して予めプーリケース１１が取付けられたブラインド４を上記スペーサ５ａ〜５ｄの内側の空間に収容配置すると共に、上記プーリケース１１を上部のスペーサ５ａ内に装着する。そして、上記スペーサ５ａ〜５ｄの他方の面にガラス板６を一次シール材を介して張り付け、両ガラス板６，６の対向周縁部間に二次シール材７を充填し、一方のガラス板６の外面に操作部２３を取付けることにより、ブラインド内蔵複層ガラス１が完成する。また、このブラインド内蔵複層ガラス１を窓サッシ５３に装着することにより、窓サッシ５３が完成する。
【００３７】
このように構成されたブラインド内蔵複層ガラス１もしくは窓サッシ５３によれば、方形枠状に上下左右のスペーサ５ａ〜５ｄを連結し、このスペーサ５ａ〜５ｄの両面をガラス板６，６で挟んで内部が密封される複層ガラス２を形成し、この複層ガラス２内に梯状の吊り紐３を介して角度調節可能なブラインド４を吊設し、上部のスペーサ５ａに上記吊り紐３を駆動するプーリ１０を配設し、上記複層ガラス２の外面に上下移動可能に操作部２３を設けると共に、この操作部２３に磁力で吸着されて操作される被操作部２４を複層ガラス２内の側部のスペーサ５ｃに沿って上下移動可能に設け、側部および上部のスペーサ５ｃ，５ａに沿って直線運動を伝達する可撓性を有する伝達部材２５により上記被操作部２４から上隅部の曲線状ガイド部２６を介して上記プーリ１０を回動操作するように構成されているため、簡単な構成でブラインド４の確実かつ円滑な角度操作が可能となると共に、組立性および複層ガラス自体の厚さの減少が図れる。
【００３８】
特に、上部のスペーサ５ａに上記吊り紐３を駆動するプーリ１０をガラス面と平行に回動可能に配設したこと、および、操作部２３から磁力で側部のスペーサ５ｃに沿って上下に移動操作される被操作部２４の操作力を可撓性を有する伝達部材２５により上記プーリ１０に伝達してプーリ１０を回動操作するようにしたことから、ブラインド４を角度調節するための構造ないし機構を簡素化することができる。このため、組立性の向上が図れると共に、ブラインド内蔵複層ガラス１自体の厚さも薄くすることができ、既存の複層ガラス用の窓サッシにもブラインド内蔵複層ガラスを装着して使用することができ、この種窓サッシのコストの低減が図れる。
【００３９】
また、各プーリ１０には両端に上記吊り紐３を連結したクラッチバネ２０を巻き付けて設け、このクラッチバネ２０は一定範囲以上回動しないように両端の規制腕部２０ａ，２０ｂの一方がストッパーであるピン２１に当接するとプーリ１０上の拘束が解除されるように構成されているため、組立時に各吊り紐３の角度がずれていたとしても、これらを簡単に整列させることができ、組立誤差を容易に吸収することができ、組立性の更なる向上が図れる。また、アルミ製の駆動部材１６および伝達部材２５が夏期に熱膨張し、冬季に熱収縮する季節変動を起こしたとしても、これをも吸収することができ、常に安定した操作性を確保することができる。
【００４０】
更に、上部のスペーサ５ａに上記吊り紐３を駆動するプーリ１０をガラス面と平行に回動可能に配設すると共に、上部のスペーサ５ａに沿って直線移動可能にラック１５を有する駆動部材１６を設け、上記プーリ１０に上記ラック１５と噛合するピニオン１７を設けてプーリ１０を回動操作するように構成されているため、簡単な構成でブラインド４の確実かつ円滑な角度操作が可能となる。特に、請求項２記載のブラインド内蔵複層ガラスにおいては、操作部２３の構成が限定されていないため、例えば駆動部材１６を磁力を利用して直接左右に駆動操作するようにしてもよい。
【００４１】
以上、本発明の実施の形態を図面により詳述してきたが、本発明は上記実施の形態に限定されるものではなく、本発明の要旨を逸脱しない範囲での種々の設計変更等が可能である。例えば、上記実施の形態では、ブラインド４が昇降可能に構成されていないが、昇降可能に構成されていても良い。また、スラット９の反転を防止する反転防止手段として、図１２に示すように、左右の少なくとも一方のスペーサ５ｄには各スラット９の回動を一定範囲に規制する回動規制部５８を設けても良い。この場合、回動規制部５８は、少なくとも一側のスペーサ５ｄの内側面に長手方向に沿ってフィン状に突設され、スラット９の端部には、その回動規制部５８を挟んで対向する一対の被規制片部５９が突設されていることが好ましい。この反転防止手段を採用すれば、必ずしも断面略Ｓ字状のスラット９を採用しなくても良く、通常の断面形状（断面円弧状）のスラットを採用しても良い。
【００４２】
【発明の効果】
以上要するに本発明によれば、次のような効果を奏することができる。
【００４３】
（１）請求項１記載のブラインド内蔵複層ガラスまたは請求項４記載の窓サッシによれば、方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリを配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成されているため、簡単な構成でブラインドの確実かつ円滑な角度操作が可能となると共に、組立性および複層ガラス自体の厚さの減少が図れる。
【００４４】
（２）請求項２記載のブラインド内蔵複層ガラスまたは請求項５記載の窓サッシによれば、方形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するためのプーリを配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材によりプーリを回動操作するように構成し、プーリには両端に上記吊り紐を連結したクラッチバネを巻き付けて設け、このクラッチバネは一定範囲以上回動しないようにその両端の一方がストッパーに当接するとプーリ上の拘束が解除されるように構成されているため、簡単な構成でブラインドの確実かつ円滑な角度操作が可能となると共に、組立性および複層ガラス自体の厚さの減少が図れ、組立時に各吊り紐の角度がずれていたとしても、これらを簡単に整列させることができ、組立性の更なる向上が図れる。
【００４５】
（３）請求項３記載のブラインド内蔵複層ガラスまたは請求項４記載の窓サッシによれば、形枠状に上下左右のスペーサを連結し、このスペーサの両面をガラス板で挟んで内部が密封される複層ガラスを形成し、この複層ガラス内に梯状の吊り紐を介して角度調節可能なブラインドを吊設し、上部のスペーサに上記吊り紐を駆動するプーリをガラス面と平行に配設し、上記複層ガラスの外面に上下移動可能に操作部を設けると共に、この操作部に磁力で吸着されて操作される被操作部を複層ガラス内の側部のスペーサに沿って上下移動可能に設け、側部および上部のスペーサに沿って直線運動を伝達する可撓性を有する伝達部材を上記被操作部から上隅部の曲線状ガイド部を通って上記プーリに掛け渡し、この伝達部材の先端部には上部のスペーサに沿って直線移動可能にラックを有する駆動部材が設けられ、上記プーリに上記ラックと噛合するピニオンを設けてプーリを回動操作するように構成されているため、簡単な構成でブラインドの確実かつ円滑な角度操作が可能となると共に、組立性および複層ガラス自体の厚さの減少が図れる。
【図面の簡単な説明】
【図１】本発明の実施の形態であるブラインド内蔵複層ガラスを示す屋内側正面図である。
【図２】同ブラインド内蔵複層ガラスが装着された窓サッシを示す屋内側正面図である。
【図３】図１のＡ−Ａ線拡大断面図である。
【図４】図１のＢ−Ｂ線概略的拡大断面図である。
【図５】図１のＣ部に使用されるコーナーピースを示す図で、（ａ）は側面図、（ｂ）は（ａ）のＤ−Ｄ線における伝達部材の支持構造を示す断面図ある。
【図６】伝達部材に連結部材を介してラックを取付ける構造を示す斜視図である。
【図７】プーリケースを示す図で、（ａ）は斜め上方から見た一部切欠斜視図、（ｂ）は斜め下方から見た斜視図である。
【図８】プーリケース内の詳細を示す図で、（ａ）は側面図、（ｂ）は正面図である。
【図９】図２のＥ−Ｅ線拡大断面図である。
【図１０】バー部材を示す図で、（ａ）は側面図、（ｂ）は断面図である。
【図１１】バー部材を規制する構造を示す図で、（ａ）は下部コーナーピースの斜視図、（ｂ）はバー部材の端部断面図である。
【図１２】スラットの反転規制手段の一例を示す断面図である。
【符号の説明】
１  ブラインド内蔵複層ガラス
２  複層ガラス
３  吊り紐
４  ブラインド
５ａ〜５ｄ  スペーサ
６  ガラス板
１０  プーリ
１５  ラック
１６  駆動部材
１７  ピニオン
２０  クラッチバネ
２１  ピン（ストッパー）
２３  操作部
２４  被操作部
２５  伝達部材
２６  曲線ガイド部
５３  窓サッシ
【図１】
0003809262.tif 000002
【図２】
0003809262.tif 000003
【図３】
0003809262.tif 000004
【図４】
0003809262.tif 000005
【図５】
0003809262.tif 000006
【図６】
0003809262.tif 000007
【図７】
0003809262.tif 000008
【図８】
0003809262.tif 000009
【図９】
0003809262.tif 000010
【図１０】
0003809262.tif 000011
【図１１】
0003809262.tif 000012
【図１２】
0003809262.tif 000013